(57)【要約】【課題】  高速信号伝送が可能であり、複数のメディアプレーヤーデバイスが接続できるコネクタ及びインターフェース装置を提供する。【解決手段】  本コネクタは、順次に番号が指定される複数のコンタクトロケーション（ｃｏｎｔａｃｔ  ｌｏｃａｔｉｏｎ）と、複数のコンタクトロケーションを収容するハウジング（ｈｏｕｓｉｎｇ）とを含み、複数のコンタクトロケーションは、第１ペアのデバイス間のデータ伝送のために指定された第１デバイスペアコンタクトロケーショングループと、第２ペアのデバイス間のデータ伝送のために指定された第２デバイスペアコンタクトロケーショングループと、第３ペアのデバイス間のデータ伝送のために指定された第３デバイスペアコンタクトロケーショングループと、第４ペアのデバイス間のデータ伝送のために指定された第４デバイスペアコンタクトロケーショングループとを含む。【選択図】      図１
2012104119.tif 000002
【特許請求の範囲】
【請求項１】
複数のメディアプレーヤーデバイスを接続するコネクタにおいて、
順次に番号が指定される複数のコンタクトロケーション（ｃｏｎｔａｃｔ  ｌｏｃａｔｉｏｎ）と、
前記複数のコンタクトロケーションを収容するハウジング（ｈｏｕｓｉｎｇ）とを含み、
前記複数のコンタクトロケーションは、
第１ペアのデバイス間のデータ伝送のために指定された第１デバイスペアコンタクトロケーショングループと、
第２ペアのデバイス間のデータ伝送のために指定された第２デバイスペアコンタクトロケーショングループと、
第３ペアのデバイス間のデータ伝送のために指定された第３デバイスペアコンタクトロケーショングループと、
第４ペアのデバイス間のデータ伝送のために指定された第４デバイスペアコンタクトロケーショングループとを含むことを特徴とするコネクタ。
【請求項２】
前記第１デバイスペアコンタクトロケーショングループは、
ディファレンシャルシグナリング（ｄｉｆｆｅｒｅｎｔｉａｌ  ｓｉｇｎａｌｉｎｇ）のための第１デバイスペアプラスコンタクトロケーション及び第１デバイスペアマイナスコンタクトロケーションと、グラウンド処理のための第１デバイスペアグラウンドコンタクトロケーションとを含むことを特徴とする請求項１に記載のコネクタ。
【請求項３】
前記コネクタは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタと互換性があり、１９ピン（ｐｉｎ）コネクタであることを特徴とする請求項１に記載のコネクタ。
【請求項４】
前記複数のコンタクトロケーションは、
特定パワーを伝送するパワー伝送コンタクトロケーションと、
ＣＥＣ（Ｃｏｎｓｕｍｅｒ  Ｅｌｅｃｔｒｏｎｉｃｓ  Ｃｏｎｔｒｏｌ）コンタクトロケーションを更に含むことを特徴とする請求項１に記載のコネクタ。
【請求項５】
前記コネクタはＨＤＭＩコネクタと互換性があり、
前記第１デバイスペアコンタクトロケーショングループはＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションに該当することを特徴とする請求項１に記載のコネクタ。
【請求項６】
前記第１デバイスペアコンタクトロケーショングループは１０から１２までのナンバーに指定され、
前記第２デバイスペアコンタクトロケーショングループは７から９までのナンバーに指定され、
前記第３デバイスペアコンタクトロケーショングループは４から６までのナンバーに指定され、
前記第４デバイスペアコンタクトロケーショングループは１から３までのナンバーに指定されることを特徴とする請求項１に記載のコネクタ。
【請求項７】
前記複数のコンタクトロケーションは、
第５ペアのデバイス間のデータ伝送のために指定された第５デバイスペアコンタクトロケーショングループを更に含み、
前記コネクタはＨＤＭＩコネクタと互換性があり、
前記第５デバイスペアコンタクトロケーショングループは、ＨＤＭＩのＨＥＡＣコンタクトロケーションに該当することを特徴とする請求項１に記載のコネクタ。
【請求項８】
前記第５デバイスペアコンタクトロケーショングループは、
他のコンタクトロケーショングループのグラウンドコンタクトロケーション及びドレインワイヤーのうち少なくともいずれか一つを用いてグラウンド処理されることを特徴とする請求項７に記載のコネクタ。
【請求項９】
前記複数のコンタクトロケーションは、
第６ペアのデバイス間のデータ伝送のために指定された第６デバイスペアコンタクトロケーショングループを更に含み、
前記コネクタはＨＤＭＩコネクタと互換性があり、
前記第６デバイスペアコンタクトロケーショングループは、ＨＤＭＩのＳＤＡ（Ｓｅｒｉａｌ  Ｄａｔａ）コンタクトロケーション及びＳＣＬ（Ｓｅｒｉａｌ  Ｃｌｏｃｋ）コンタクトロケーションに該当することを特徴とする請求項１に記載のコネクタ。
【請求項１０】
前記第６デバイスペアコンタクトロケーショングループは、
他のコンタクトロケーショングループのグラウンドコンタクトロケーション及びドレインワイヤーのうち少なくともいずれか一つを用いてグラウンド処理されることを特徴とする請求項９に記載のコネクタ。
【請求項１１】
複数のメディアプレーヤーデバイスをインターフェースするインターフェース装置において、
順次に番号が指定される複数のコンタクトロケーション（ｃｏｎｔａｃｔ  ｌｏｃａｔｉｏｎ）と、
前記複数のコンタクトロケーションを有する収容部とを含み、
前記複数のコンタクトロケーションは、
第１ペアのデバイス間のデータ伝送のために指定された第１デバイスペアコンタクトロケーショングループと、
第２ペアのデバイス間のデータ伝送のために指定された第２デバイスペアコンタクトロケーショングループと、
第３ペアのデバイス間のデータ伝送のために指定された第３デバイスペアコンタクトロケーショングループと、
第４ペアのデバイス間のデータ伝送のために指定された第４デバイスペアコンタクトロケーショングループとを含むことを特徴とするインターフェース装置。
【請求項１２】
前記第１デバイスペアコンタクトロケーショングループは、
ディファレンシャルシグナリング（ｄｉｆｆｅｒｅｎｔｉａｌ  ｓｉｇｎａｌｉｎｇ）のための第１デバイスペアプラスコンタクトロケーション及び第１デバイスペアマイナスコンタクトロケーションと、グラウンド処理のための第１デバイスペアグラウンドコンタクトロケーションとを含むことを特徴とする請求項１１に記載のインターフェース装置。
【請求項１３】
前記収容部は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）用の収容部と互換性があり、１９ピン（ｐｉｎ）用の収容部であることを特徴とする請求項１１に記載のインターフェース装置。
【請求項１４】
前記収容部はＨＤＭＩ用の収容部と互換性があり、
前記第１デバイスペアコンタクトロケーショングループはＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションに該当することを特徴とする請求項１１に記載のインターフェース装置。
【請求項１５】
前記インターフェース装置は、
外部に接続されるメディアプレーヤーデバイスとスタンバイ状態からウェークアップするウェークアップ（ｗａｋｅ−ｕｐ）信号を送受信し、
前記複数のコンタクトロケーションは、
ＣＥＣ（Ｃｏｎｓｕｍｅｒ  Ｅｌｅｃｔｒｏｎｉｃｓ  Ｃｏｎｔｒｏｌ）コンタクトロケーションを更に含み、
前記ＣＥＣコンタクトロケーションは前記ウェークアップ信号を前記メディアプレーヤーデバイスと送受信することを特徴とする請求項１１に記載のインターフェース装置。
【発明の詳細な説明】
【技術分野】
【０００１】
本発明は、コネクタ及びインターフェース装置に関し、より詳細には、高速信号伝送が可能であり、複数のメディアプレーヤーデバイスが接続できるコネクタ及びインターフェース装置に関する。
【背景技術】
【０００２】
ケーブルコネクタは、両電子機器との間で電気的信号を伝達する装置である。例えば、このようなケーブルコネクタはＨＤＭＩケーブル、ＵＳＢケーブルコネクタ、オーディオケーブルコネクタ、ビデオケーブルコネクタなどが用いられることができる。
【０００３】
最近の電子機器は多様な外部機器と接続できるため、多様な外部機器と接続するための多様な規格のコネクタを備えている。例えば、最近のテレビは、ＤＶＤプレーヤー、セットトップボックス、スピーカー、コンピュータなどと接続できるため、上述のＨＤＭＩケーブルコネクタ、ＵＳＢケーブルコネクタ、オーディオケーブルコネクタ、ビデオケーブルコネクタなどを備える。
【０００４】
ところが、装置ごとに異なるケーブルコネクタを用いることは、電子機器間の互換性の側面からあまり望ましくないということで、複数の電子機器に対しては、映像・音声・制御信号を容易に伝送できるコネクタを開発することが求められている。
【先行技術文献】
【特許文献】
【０００５】
【特許文献１】米国特開第２０１０−０２３２５２２号公報
【特許文献２】韓国特開第２００７−００１９１０７号公報
【特許文献３】米国特開第２００６−００３６７８８号公報
【特許文献４】日本特開第２０１０−１４０２９１号公報
【発明の概要】
【発明が解決しようとする課題】
【０００６】
そこで、本発明は、上記問題に鑑みてなされたものであり、本発明の目的とするところは、高速信号伝送が可能であり、複数のメディアプレーヤーデバイスが接続できるコネクタ及びインターフェース装置を提供することにある。
【課題を解決するための手段】
【０００７】
前記目的を達成するための本発明の一実施形態に係るコネクタは、順次に番号が指定される複数のコンタクトロケーション（ｃｏｎｔａｃｔ  ｌｏｃａｔｉｏｎ）と、前記複数のコンタクトロケーションを収容するハウジング（ｈｏｕｓｉｎｇ）とを含み、前記複数のコンタクトロケーションは、第１ペアのデバイス間のデータ伝送のために指定された第１デバイスペアコンタクトロケーショングループと、第２ペアのデバイス間のデータ伝送のために指定された第２デバイスペアコンタクトロケーショングループと、第３ペアのデバイス間のデータ伝送のために指定された第３デバイスペアコンタクトロケーショングループと、第４ペアのデバイス間のデータ伝送のために指定された第４デバイスペアコンタクトロケーショングループとを含む。
【０００８】
この場合、前記第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション及び第１デバイスペアマイナスコンタクトロケーションと、グラウンド処理のための第１デバイスペアグラウンドコンタクトロケーションとを含んでよい。
【０００９】
一方、前記コネクタは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタと互換性があることが望ましい。
【００１０】
一方、前記コネクタは１９ピン（ｐｉｎ）コネクタであることが望ましい。
【００１１】
一方、前記複数のコンタクトロケーションは、特定パワーを伝送するパワー伝送コンタクトロケーションを更に含んでよい。
【００１２】
一方、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションを更に含んでよい。
【００１３】
一方、前記コネクタはＨＤＭＩコネクタと互換性があり、前記第１デバイスペアコンタクトロケーショングループはＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションに該当することが望ましい。
【００１４】
一方、前記第１デバイスペアコンタクトロケーショングループは１０から１２までのナンバーに指定され、前記第２デバイスペアコンタクトロケーショングループは７から９までのナンバーに指定され、前記第３デバイスペアコンタクトロケーショングループは４から６までのナンバーに指定され、前記第４デバイスペアコンタクトロケーショングループは１から３までのナンバーに指定されることが望ましい。
【００１５】
一方、前記複数のコンタクトロケーションは、第５ペアのデバイス間のデータ伝送のために指定された第５デバイスペアコンタクトロケーショングループを更に含んでよい。
【００１６】
この場合、前記コネクタはＨＤＭＩコネクタと互換性があり、前記第５デバイスペアコンタクトロケーショングループは、ＨＤＭＩのＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーションに該当することが望ましい。
【００１７】
一方、前記第５デバイスペアコンタクトロケーショングループは、他のコンタクトロケーショングループのグラウンドコンタクトロケーション及びドレインワイヤーのうち少なくともいずれか一つを用いてグラウンド処理されることが望ましい。
【００１８】
一方、前記第５デバイスペアコンタクトロケーショングループは、１４、１７及び１９のナンバーに指定されることが望ましい。
【００１９】
一方、前記複数のコンタクトロケーションは、第６ペアのデバイス間のデータ伝送のために指定された第６デバイスペアコンタクトロケーショングループを更に含んでよい。
【００２０】
この場合、前記コネクタはＨＤＭＩコネクタと互換性があり、前記第６デバイスペアコンタクトロケーショングループは、ＨＤＭＩのＳＤＡ（Ｓｅｒｉａｌ  Ｄａｔａ）コンタクトロケーション及びＳＣＬ（Ｓｅｒｉａｌ  Ｃｌｏｃｋ）コンタクトロケーションに該当することが望ましい。
【００２１】
一方、前記第６デバイスペアコンタクトロケーショングループは、他のコンタクトロケーショングループのグラウンドコンタクトロケーション及びドレインワイヤーのうち少なくともいずれか一つを用いてグラウンド処理されることが望ましい。
【００２２】
一方、前記第６デバイスペアコンタクトロケーショングループは、１５及び１６のナンバーに指定されることが望ましい。
【００２３】
前記目的を達成するための本発明の一実施形態に係るコネクタは、順次に番号が指定される複数のコンタクトロケーション（ｃｏｎｔａｃｔ  ｌｏｃａｔｉｏｎ）と、前記複数のコンタクトロケーションを収容するハウジング（ｈｏｕｓｉｎｇ）とを含み、前記複数のコンタクトロケーションは、第１ペアのデバイス間のデータ伝送のために指定された第１デバイスペアコンタクトロケーショングループと、第２ペアのデバイス間のデータ伝送のために指定された第２デバイスペアコンタクトロケーショングループと、第３ペアのデバイス間のデータ伝送のために指定された第３デバイスペアコンタクトロケーショングループと、第４ペアのデバイス間のデータ伝送のために指定された第４デバイスペアコンタクトロケーショングループと、第５ペアのデバイス間のデータ伝送のために指定された第５デバイスペアコンタクトロケーショングループと、第６ペアのデバイス間のデータ伝送のために指定された第６デバイスペアコンタクトロケーショングループと、第７ペアのデバイス間のデータ伝送のために指定された第７デバイスペアコンタクトロケーショングループと、第８ペアのデバイス間のデータ伝送のために指定された第８デバイスペアコンタクトロケーショングループとを含んでよい。
【００２４】
この場合、前記第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション及び第１デバイスペアマイナスコンタクトロケーションを含むことが望ましい。
【００２５】
一方、前記コネクタは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタと互換性があることが望ましい。
【００２６】
一方、前記コネクタは１９ピン（ｐｉｎ）コネクタであることが望ましい。
【００２７】
一方、前記複数のコンタクトロケーションは、特定パワーを伝送するパワー伝送コンタクトロケーションを更に含んでよい。
【００２８】
一方、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションを更に含んでよい。
【００２９】
一方、前記コネクタはＨＤＭＩコネクタと互換性があり、前記第１デバイスペアコンタクトロケーショングループはＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションに該当することが望ましい。
【００３０】
一方、前記第１デバイスペアコンタクトロケーショングループは１０及び１２のナンバーに指定され、前記第２デバイスペアコンタクトロケーショングループは７及び９のナンバーに指定され、前記第３デバイスペアコンタクトロケーショングループは４及び６のナンバーに指定され、前記第４デバイスペアコンタクトロケーショングループは１及び３のナンバーに指定され、前記第５デバイスペアコンタクトロケーショングループは２及び５のナンバーに指定され、前記第６デバイスペアコンタクトロケーショングループは８及び１１のナンバーに指定され、前記第７デバイスペアコンタクトロケーショングループは１５及び１６のナンバーに指定され、前記第８デバイスペアコンタクトロケーショングループは１４及び１９のナンバーに指定されることが望ましい。
【００３１】
一方、前記複数のコンタクトロケーションは、グラウンド処理のための１７のナンバーに指定されるコンタクトロケーションを更に含み、前記第８デバイスペアコンタクトロケーショングループは、前記１７のナンバーに指定されるコンタクトロケーションをグラウンドコンタクトロケーションとして用いることが望ましい。
【００３２】
一方、前記複数のデバイスペアコンタクトロケーショングループのうち少なくともいずれか一つのグループは、他のデバイスペアコンタクトロケーショングループのグラウンドコンタクトロケーション及びドレインワイヤーのうち少なくともいずれか一つを用いてグラウンド処理されることが望ましい。
【００３３】
一方、前記コネクタはＨＤＭＩコネクタと互換性があり、前記第８デバイスペアコンタクトロケーショングループは、ＨＤＭＩのＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーションに該当することが望ましい。
一方、前記コネクタはＨＤＭＩコネクタと互換性があり、前記第７デバイスペアコンタクトロケーショングループは、ＨＤＭＩのＳＤＡ（Ｓｅｒｉａｌ  Ｄａｔａ）コンタクトロケーション及びＳＣＬ（Ｓｅｒｉａｌ  Ｃｌｏｃｋ）コンタクトロケーションに該当することが望ましい。
【００３４】
一方、本発明の一実施形態に係るインターフェース装置は、順次に番号が指定される複数のコンタクトロケーション（ｃｏｎｔａｃｔ  ｌｏｃａｔｉｏｎ）と、前記複数のコンタクトロケーションを有する収容部とを含み、前記複数のコンタクトロケーションは、第１ペアのデバイス間のデータ伝送のために指定された第１デバイスペアコンタクトロケーショングループと、第２ペアのデバイス間のデータ伝送のために指定された第２デバイスペアコンタクトロケーショングループと、第３ペアのデバイス間のデータ伝送のために指定された第３デバイスペアコンタクトロケーショングループと、第４ペアのデバイス間のデータ伝送のために指定された第４デバイスペアコンタクトロケーショングループとを含んでよい。
【００３５】
この場合、前記第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション及び第１デバイスペアマイナスコンタクトロケーションと、グラウンド処理のための第１デバイスペアグラウンドコンタクトロケーションとを含んでよい。
【００３６】
一方、前記収容部は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）用の収容部と互換性があることが望ましい。
【００３７】
一方、前記コネクタは１９ピン（ｐｉｎ）用の収容部であることが望ましい。
【００３８】
一方、前記複数のコンタクトロケーションは、特定パワーを伝送するパワー伝送コンタクトロケーションを更に含んでよい。
一方、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションを更に含んでよい。
一方、前記収容部はＨＤＭＩ用の収容部と互換性があり、前記第１デバイスペアコンタクトロケーショングループはＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションに該当することが望ましい。
【００３９】
一方、前記第１デバイスペアコンタクトロケーショングループは１０から１２までのナンバーに指定され、前記第２デバイスペアコンタクトロケーショングループは７から９までのナンバーに指定され、前記第３デバイスペアコンタクトロケーショングループは４から６までのナンバーに指定され、前記第４デバイスペアコンタクトロケーショングループは１から３までのナンバーに指定されることが望ましい。
【００４０】
一方、前記複数のコンタクトロケーションは、第５ペアのデバイス間のデータ伝送のために指定された第５デバイスペアコンタクトロケーショングループを更に含んでよい。
【００４１】
この場合、前記収容部はＨＤＭＩ用の収容部と互換性があり、前記第５デバイスペアコンタクトロケーショングループは、ＨＤＭＩのＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーションに該当することが望ましい。
【００４２】
一方、前記第５デバイスペアコンタクトロケーショングループは、他のコンタクトロケーショングループのグラウンドコンタクトロケーション及びドレインワイヤーのうち少なくともいずれか一つを用いてグラウンド処理されることが望ましい。
【００４３】
一方、前記第５デバイスペアコンタクトロケーショングループは、１４、１７及び１９のナンバーに指定されることが望ましい。
【００４４】
一方、前記複数のコンタクトロケーションは、第６ペアのデバイス間のデータ伝送のために指定された第６デバイスペアコンタクトロケーショングループを更に含んでよい。
【００４５】
この場合、前記収容部はＨＤＭＩ用の収容部と互換性があり、前記第６デバイスペアコンタクトロケーショングループは、ＨＤＭＩのＳＤＡ（Ｓｅｒｉａｌ  Ｄａｔａ）コンタクトロケーション及びＳＣＬ（Ｓｅｒｉａｌ  Ｃｌｏｃｋ）コンタクトロケーションに該当することが望ましい。
【００４６】
一方、前記第６デバイスペアコンタクトロケーショングループは、他のコンタクトロケーショングループのグラウンドコンタクトロケーション及びドレインワイヤーのうち少なくともいずれか一つを用いてグラウンド処理されることが望ましい。
【００４７】
一方、前記第６デバイスペアコンタクトロケーショングループは、１５及び１６のナンバーに指定されることが望ましい。
【００４８】
一方、前記インターフェース装置は、外部に接続されるメディアプレーヤーデバイスとスタンバイ状態からウェークアップするウェークアップ（ｗａｋｅ−ｕｐ）信号を送受信することが望ましい。
【００４９】
この場合、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションを更に含み、前記ＣＥＣコンタクトロケーションは前記ウェークアップ信号を前記メディアプレーヤーデバイスと送受信することが望ましい。
【００５０】
一方、前記ウェークアップ信号は、ウェークアップ命令の開始を報知するスタート（Ｓｔａｒｔ）フィールドと、ウェークアップのモードを報知するウェークアップモード（Ｗａｋｅｕｐ  Ｍｏｄｅ）フィールドと、確認信号（Ａｃｋ）フィールドとを含むことが望ましい。
【００５１】
この場合、前記ウェークアップのモードは、メディアプレーヤーデバイスの複数の動作モードのそれぞれに対応する複数のウェークアップモード及び充電モードを含むことが望ましい。
【００５２】
一方、前記インターフェース装置は、マイコンからウェークアップ開始命令を入力されると、入力されたウェークアップ開始命令に基づいてウェークアップが必要な外部のメディアプレーヤーデバイスを判断することが望ましい。
【００５３】
この場合、前記ウェークアップ開始命令は、ウェークアップ命令の開始を報知するスタート（Ｓｔａｒｔ）フィールドと、ウェークアップが必要なデバイスを報知するウェークアップポート（Ｗａｋｅｕｐ  Ｐｏｒｔ）フィールドと、ウェークアップのモードを報知するウェークアップモード（Ｗａｋｅｕｐ  Ｍｏｄｅ）フィールドと、確認信号（Ａｃｋ）フィールドとを含むことが望ましい。
【００５４】
一方、前記インターフェース装置は、前記複数のコンタクトロケーションのうち少なくとも二つ以上のコンタクトロケーションを用いて、外部のメディアプレーヤーデバイスと電源を送受信することが望ましい。
【００５５】
この場合、前記電源を送受信するコンタクトロケーションのうち少なくともいずれか一つは、ＡＶデータ伝送用のコンタクトロケーションであることが望ましい。
【００５６】
一方、前記第１デバイスペアコンタクトロケーショングループは１０及び１２のナンバーに指定され、前記第２デバイスペアコンタクトロケーショングループは７及び９のナンバーに指定され、前記第３デバイスペアコンタクトロケーショングループは４及び６のナンバーに指定され、前記第４デバイスペアコンタクトロケーショングループは１及び３のナンバーに指定されることが望ましい。
【００５７】
一方、本発明の別の実施形態に係るインターフェース装置は、順次に番号が指定される複数のコンタクトロケーション（ｃｏｎｔａｃｔ  ｌｏｃａｔｉｏｎ）と、前記複数のコンタクトロケーションを有する収容部とを含み、前記複数のコンタクトロケーションは、第１ペアのデバイス間のデータ伝送のために指定された第１デバイスペアコンタクトロケーショングループと、第２ペアのデバイス間のデータ伝送のために指定された第２デバイスペアコンタクトロケーショングループと、第３ペアのデバイス間のデータ伝送のために指定された第３デバイスペアコンタクトロケーショングループと、第４ペアのデバイス間のデータ伝送のために指定された第４デバイスペアコンタクトロケーショングループと、第５ペアのデバイス間のデータ伝送のために指定された第５デバイスペアコンタクトロケーショングループと、第６ペアのデバイス間のデータ伝送のために指定された第６デバイスペアコンタクトロケーショングループと、第７ペアのデバイス間のデータ伝送のために指定された第７デバイスペアコンタクトロケーショングループと、第８ペアのデバイス間のデータ伝送のために指定された第８デバイスペアコンタクトロケーショングループとを含んでよい。
【００５８】
この場合、前記第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション及び第１デバイスペアマイナスコンタクトロケーションを含んでよい。
【００５９】
一方、前記収容部は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）用の収容部と互換性があることが望ましい。
【００６０】
一方、前記収容部は１９ピン（ｐｉｎ）用の収容部であることが望ましい。
【００６１】
一方、前記複数のコンタクトロケーションは、特定パワーを伝送するパワー伝送コンタクトロケーションを更に含んでよい。
【００６２】
一方、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションを更に含んでよい。
【００６３】
一方、前記収容部はＨＤＭＩ用の収容部と互換性があり、前記第１デバイスペアコンタクトロケーショングループはＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションに該当することが望ましい。
【００６４】
一方、前記第１デバイスペアコンタクトロケーショングループは１０及び１２のナンバーに指定され、前記第２デバイスペアコンタクトロケーショングループは７及び９のナンバーに指定され、前記第３デバイスペアコンタクトロケーショングループは４及び６のナンバーに指定され、前記第４デバイスペアコンタクトロケーショングループは１及び３のナンバーに指定され、前記第５デバイスペアコンタクトロケーショングループは２及び５のナンバーに指定され、前記第６デバイスペアコンタクトロケーショングループは８及び１１のナンバーに指定され、前記第７デバイスペアコンタクトロケーショングループは１５及び１６のナンバーに指定され、前記第８デバイスペアコンタクトロケーショングループは１４及び１９のナンバーに指定されることが望ましい。
【００６５】
一方、前記複数のコンタクトロケーションは、グラウンド処理のための１７のナンバーに指定されるコンタクトロケーションを更に含み、前記第８デバイスペアコンタクトロケーショングループは、前記１７のナンバーに指定されるコンタクトロケーションをグラウンドコンタクトロケーションとして用いることが望ましい。
【００６６】
一方、前記複数のデバイスペアコンタクトロケーショングループのうち少なくともいずれか一つのグループは、他のデバイスペアコンタクトロケーショングループのグラウンドコンタクトロケーション及びドレインワイヤーのうち少なくともいずれか一つを用いてグラウンド処理されることが望ましい。
【００６７】
一方、前記収容部はＨＤＭＩ用の収容部と互換性があり、前記第８デバイスペアコンタクトロケーショングループは、ＨＤＭＩのＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーションに該当することが望ましい。
【００６８】
一方、前記収容部はＨＤＭＩ用の収容部と互換性があり、前記第７デバイスペアコンタクトロケーショングループは、ＨＤＭＩのＳＤＡ（Ｓｅｒｉａｌ  Ｄａｔａ）コンタクトロケーション及びＳＣＬ（Ｓｅｒｉａｌ  Ｃｌｏｃｋ）コンタクトロケーションに該当することが望ましい。
【００６９】
一方、前記インターフェース装置は、外部に接続されるメディアプレーヤーデバイスとスタンバイ状態からウェークアップするウェークアップ（ｗａｋｅ−ｕｐ）信号を送受信することが望ましい。
【００７０】
この場合、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションを更に含み、前記ＣＥＣコンタクトロケーションは前記ウェークアップ信号を前記メディアプレーヤーデバイスと送受信することが望ましい。
【００７１】
一方、前記ウェークアップ信号は、ウェークアップ命令の開始を報知するスタート（Ｓｔａｒｔ）フィールドと、ウェークアップのモードを報知するウェークアップモード（Ｗａｋｅｕｐ  Ｍｏｄｅ）フィールドと、確認信号（Ａｃｋ）フィールドとを含むことが望ましい。
【００７２】
この場合、前記ウェークアップのモードは、メディアプレーヤーデバイスの複数の動作モードのそれぞれに対応する複数のウェークアップモード及び充電モードを含むことが望ましい。
【００７３】
一方、前記インターフェース装置は、マイコンからウェークアップ開始命令を入力されると、入力されたウェークアップ開始命令に基づいてウェークアップが必要な外部のメディアプレーヤーデバイスを判断することが望ましい。
【００７４】
この場合、前記ウェークアップ開始命令は、ウェークアップ命令の開始を報知するスタート（Ｓｔａｒｔ）フィールドと、ウェークアップが必要なメディアプレーヤーデバイスを報知するウェークアップポート（Ｗａｋｅｕｐ  Ｐｏｒｔ）フィールドと、ウェークアップのモードを報知するウェークアップモード（Ｗａｋｅｕｐ  Ｍｏｄｅ）フィールドと、確認信号（Ａｃｋ）フィールドとを含むことが望ましい。
【００７５】
一方、前記インターフェース装置は、前記複数のコンタクトロケーションのうち少なくとも二つ以上のコンタクトロケーションを用いて、外部のメディアプレーヤーデバイスと電源を送受信することが望ましい。
【００７６】
この場合、前記電源を送受信するコンタクトロケーションのうち少なくともいずれか一つは、ＡＶデータ伝送用のコンタクトロケーションであることが望ましい。
【００７７】
一方、前記第１デバイスペアコンタクトロケーショングループは１及び３のナンバーに指定され、前記第２デバイスペアコンタクトロケーショングループは２及び４のナンバーに指定され、前記第３デバイスペアコンタクトロケーショングループは５及び７のナンバーに指定され、前記第４デバイスペアコンタクトロケーショングループは６及び８のナンバーに指定され、前記第５デバイスペアコンタクトロケーショングループは９及び１１のナンバーに指定され、前記第６デバイスペアコンタクトロケーショングループは１０及び１２のナンバーに指定され、前記第７デバイスペアコンタクトロケーショングループは１３及び１５のナンバーに指定され、前記第８デバイスペアコンタクトロケーショングループは１４及び１６のナンバーに指定されることが望ましい。
【００７８】
一方、前記複数のコンタクトロケーションは、ＣＥＣ（Ｃｏｎｓｕｍｅｒ  Ｅｌｅｃｔｒｏｎｉｃｓ  Ｃｏｎｔｒｏｌ）コンタクトロケーションと、グラウンド処理のためのグラウンドコンタクトロケーションと、特定パワーを伝送する電源コンタクトロケーションとを更に含んでよい。
【００７９】
この場合、前記複数のコンタクトロケーションは、前記ＣＥＣコンタクトロケーションは１３のナンバーに指定され、前記グラウンドコンタクトロケーションは１７のナンバーに指定され、前記電源コンタクトロケーションは１８のナンバーに指定されることが望ましい。
【００８０】
一方、前記複数のコンタクトロケーションは、１９のナンバーに指定されるＣＥＣ（Ｃｏｎｓｕｍｅｒ  Ｅｌｅｃｔｒｏｎｉｃｓ  Ｃｏｎｔｒｏｌ）コンタクトロケーションと、グラウンド処理のための１７のナンバーに指定されるグラウンドコンタクトロケーションと、特定パワーを伝送する１８のナンバーに指定される電源コンタクトロケーションとを更に含んでよい。
【図面の簡単な説明】
【００８１】
【図１】本発明の一実施形態に係るメディアプレーヤーデバイスの構成を示すブロック図である。
【図２】本実施形態に係るインターフェース装置の構成を示すブロック図である。
【図３】図２の収容部の具体的な形態を示す図である。
【図４】本実施形態に係るコネクタケーブルの構成を示す図である。
【図５】図４のコネクタの具体的な形態を示す図である。
【図６】本発明の第１実施形態に係るインターフェースの構造を説明するための図である。
【図７】ＨＤＭＩインターフェースの構造を説明するための図である。
【図８】第１実施形態に係るインターフェースの構造をコネクタ上に示した図である。
【図９】第１実施形態に係るインターフェース方式が用いられる場合のケーブル断面の例を示す図である。
【図１０】本発明の第２実施形態に係るインターフェースの構造を説明するための図である。
【図１１】第２実施形態に係るインターフェースの構造をコネクタ上に示した図である。
【図１２】第２実施形態に係るインターフェース方式が用いられる場合のケーブル断面の例を示す図である。
【図１３】本発明の第３実施形態に係るインターフェースの構造を説明するための図である。
【図１４】第３実施形態に係るコネクタの構造を説明する図である。
【図１５】第３実施形態に係るインターフェース方式が用いられる場合のケーブル断面の例を示す図である。
【図１６】本発明の第４実施形態に係るインターフェースの構造を説明するための図である。
【図１７】第４実施形態に係るコネクタの構造を説明する図である。
【図１８】第４実施形態に係るコネクタの構造を説明する図である。
【図１９】第４実施形態に係るインターフェース方式が用いられる場合のケーブル断面の例を示す図である。
【図２０】本発明の第５実施形態に係るインターフェースの構造を説明するための図である。
【図２１】第５実施形態に係るインターフェース方式が用いられる場合のケーブル断面の例を示す図である。
【図２２】上述の実施形態に係るインターフェースを介してインターフェース装置と接続された外部機器を充電及びウェークアップする方法の例を説明するための図である。
【図２３】本実施形態に係るウェークアップ信号の構造を示す図である。
【図２４】本実施形態に係るウェークアップ開始命令の構造を示す図である。
【図２５】ウェークアップ開始命令に含まれたそれぞれの信号の役割を説明する図である。
【図２６】図２５に記された動作モード信号（Ｗａｋｅｕｐ  Ｍｏｄｅ）の種類を示す図である。
【図２７】上述の実施形態に係るインターフェースを介してインターフェース装置と接続された外部機器を充電及びウェークアップする方法の別の例を説明するための図である。
【発明を実施するための形態】
【００８２】
以下に添付図面を参照しながら、本発明の好適な実施の形態について詳細に説明する。
【００８３】
図１は、本発明の一実施形態に係るメディアプレーヤーデバイスの構成を示すブロック図である。図１によると、メディアプレーヤーデバイス１００は、電源部１１０と、マイコン１２０と、ユーザインターフェース部１３０及びインターフェース装置２００を含む。
【００８４】
メディアプレーヤーデバイス１００は、ケーブルコネクタ３００を用いて別の外部のメディアプレーヤーデバイス１０−１、１０−２、…、１０−ｎ（以下、外部機器という）と接続される。メディアプレーヤーデバイス１００は、デジタルテレビ（ＤＴＶ）、ＤＶＤプレーヤー、セットトップボックスのような放送受信装置だけでなく、各種のコンテンツを保存するパーソナルコンピュータ、ノートパソコン、ＭＰ３、ＰＭＰ、携帯電話などを含む。
【００８５】
電源部１１０は、メディアプレーヤーデバイス１００内の各構成に電源を供給する。電源部１１０は、ＳＭＰＳ（Ｓｗｉｔｃｈｅｄ−ｍｏｄｅ  ｐｏｗｅｒ  ｓｕｐｐｌｙ）で実現されたり、変圧器又は整流回路を用いて実現できる。
【００８６】
そして、電源部１１０は、メディアプレーヤーデバイス１００の動作状態に応じて別の電源を出力することができる。例えば、メディアプレーヤーデバイス１００が通常モードの場合、電源部１１０はメディアプレーヤーデバイス１００内の全ての構成に電源を供給する通常モード電源を出力することができる。そして、メディアプレーヤーデバイス１００がスタンバイモードである場合、電源部１１０はスタンバイのための一部の構成にのみ電源を供給するスタンバイモード電源を出力することができる。そして、メディアプレーヤーデバイス１００が外部機器１０の充電のみのための充電モードで動作する場合、電源部１１０はスタンバイのための一部の構成と外部機器を充電するのに用いられるインターフェース装置２００にのみ電源を供給する充電モード電源を出力することができる。
【００８７】
マイコン１２０は、メディアプレーヤーデバイス１００内の各構成を制御することができる。具体的に、マイコン１２０は、メディアプレーヤーデバイス１００の動作モードに応じて動作モードに対応する動作が行なわれるようにメディアプレーヤーデバイス１００内の各構成を制御することができる。メディアプレーヤーデバイス１００は、オフモード、スタンバイモード、複数のウェークアップモード、ノーマルモードなどで動作することができる。
【００８８】
そして、マイコン１２０は、ユーザの制御又はインターフェース装置２００からメディアプレーヤーデバイス１００自らに対するウェークアップ信号を受信すると、これに対応した電源が出力されるように電源部１１０を制御することができる。
【００８９】
そして、マイコン１２０は、外部機器１０に対するウェークアップ進行のためのウェークアップ開始命令を生成することができる。具体的に、マイコン１２０はユーザの制御命令又は内部規則に従って外部機器１０−１をウェークアップするためのウェークアップ開始命令を生成し、生成されたウェークアップ開始命令をインターフェース装置２００に伝達することができる。例えば、メディアプレーヤーデバイス１００がＤＶＤプレーヤーであり、ユーザがＤＶＤ再生をリモコンで指示した場合、マイコン１２０はＤＴＶである外部機器１０−１がウェークアップされるように外部機器１０−１に対するウェークアップ開始命令を生成してインターフェース装置２００に伝達することができる。この時、生成されるウェークアップ開始命令の具体的な構成については、図２４ないし図２６を参考に後述する。
【００９０】
そして、マイコン１２０は、充電可能な外部機器１０−１がインターフェース装置２００に接続された場合、電源部１１０が外部機器１０−１に電源を供給するように電源部を制御することができる。具体的に、インターフェース装置２００を介して接続された外部機器１０−１が充電可能な装置として認識された場合、インターフェース装置２００を介して充電モード電源又は通常モード電源が外部機器１０−１に供給されるように、電源部１１０を制御することができる。この時、外部機器１０−１に対する充電が完了したり、接続が解除されると、マイコン１２０は外部機器１０−１に供給される電源が遮断されるようにすることができる。
【００９１】
ユーザインターフェース部１３０は、メディアプレーヤーデバイス１００からサポートする各種機能をユーザが設定又は選択できる複数の機能キーを備え、タッチパッドなどのように入力と出力とが同時に実現される装置として実現されたり、キーボードやマウス、無線リモコンのような入力装置と、ＬＣＤやＣＲＴ、スピーカのような出力装置を組み合わせて実現することもできる。
【００９２】
そして、ユーザインターフェース部１３０は、メディアプレーヤーデバイス１００内のコンテンツを出力したり、インターフェース装置２００を介して伝達された外部機器１０のコンテンツを出力することができる。
【００９３】
そして、ユーザインターフェース部１３０は、接続された外部機器１０−１が充電中である場合、当該外部機器１０−１に対する充電状態を表示することができる。
【００９４】
インターフェース装置２００はメディアプレーヤーデバイス１００を外部機器１０と接続するために形成される。具体的に、インターフェース装置２００は複数のケーブルコネクタ３００−１、３００−２、…、３００−ｎを介して複数の外部機器１０−１、１０−２、…、１０−ｎと接続でき、接続された外部機器１０−１、１０−２、…、１０−ｎとＡＶ信号を伝達することができる。そして、インターフェース装置２００は外部機器１０−１、１０−２、…、１０−ｎをウェークアップするためのウェークアップ信号を伝達したり、外部機器１０−１、１０−２、…、１０−ｎの充電のための充電電源を供給することができる。
【００９５】
図１を説明するうえで、インターフェース装置２００は一つのケーブルコネクタ３００−１を用いて一つの外部機器１０−１と接続される実施形態について接続したが、ケーブルコネクタが１：ｎケーブルコネクタである場合、インターフェース装置２００は一つのケーブルコネクタを用いて複数の外部機器と接続されることも可能である。
【００９６】
以下では、図２を参考にしてインターフェース装置２００の具体的な構成を説明する。
【００９７】
図２は、本実施形態に係るインターフェース装置２００の具体的な構成を説明するための図である。
【００９８】
インターフェース装置２００は、通信インターフェース部２１０と、制御部２２０と、複数の収容部２３０と、複数のスイッチング部２４０とを含む。
【００９９】
通信インターフェース部２１０は、メディアプレーヤーデバイス１００内の各構成と接続するために形成され、メディアプレーヤーデバイス１００内の各構成とＡ／Ｖ信号、制御信号を送受信して、電源部１１０から電源を入力される。
【０１００】
制御部２２０は、インターフェース装置２００内の各構成を制御する。具体的に、制御部２２０は複数の収容部２３０−１、２３０−２、…、２３０−ｎのそれぞれに外部機器１０−１、１０−２、…、１０−ｎが接続された否かを検知することができる。外部機器が接続されたと検知されると、制御部２２０はマイコン１２０に外部機器１０の接続を通知することができる。
【０１０１】
そして、制御部２２０は、接続された外部機器１０からウェークアップ信号を受信すると、受信されたウェークアップ信号をマイコン１２０に伝達することができる。そして、制御部２２０は受信されたウェークアップ信号とウェークアップ信号を送信した外部機器１０に対応するポート情報を組み合わせてウェークアップ開始命令を生成し、ウェークアップ開始命令をマイコン１２０に伝送することができる。
【０１０２】
そして、制御部２２０は、接続された外部機器１０が充電可能な機器であるかを判断することができる。そして、外部機器１０が充電可能な機器である場合、制御部２２０はこれに対する情報をマイコン１２０に伝達して外部機器１０が充電されるようにすることができる。この時、メディアプレーヤーデバイス１００がスタンバイモードである場合、制御部２２０はマイコン１２０にウェークアップ信号を伝送することができる。
【０１０３】
そして、制御部２２０は、外部機器１０に対する充電が完了したり、外部機器１０との接続が解除された場合、これに対する情報をマイコン１２０に伝達して外部機器１０に対する充電が完了するようにすることができる。
【０１０４】
そして、制御部２２０は、マイコン１２０又は外部機器１０−１から特定外部機器１０−２に対するウェークアップ開始命令を入力されると、入力されたウェークアップ開始命令に基づいてウェークアップが必要な外部機器１０−２を判断し、当該外部機器１０−２と接続される収容部２３０−２を介してウェークアップ信号を伝達することができる。
【０１０５】
そして、制御部２２０は、接続された外部機器１０のインターフェース種類を判断し、判断されたインターフェース種類によるインターフェースが適用されるように、スイッチング部２４０を制御する。具体的に、インターフェース装置２００は外部機器１０とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）インターフェース方式及び新たなインターフェース方式を通じて各種データ及び制御信号を送受信することができる。ここで、新しいインターフェース方式は、後述の第１ないし第５実施形態に係るインターフェース方式を意味するものとして、以下では、新しいインターフェースをＮＩＦ（Ｎｅｗ  Ｉｎｔｅｒｆａｃｅ）と称する。従って、制御部２２０は、接続された外部機器１０がＨＤＭＩインターフェース方式を用いるか、ＮＩＦインターフェース方式を用いるかを判断し、判断されたインターフェース方式が用いられるように当該外部機器１０に対応するスイッチング部２４０を制御することができる。
【０１０６】
収容部２３０は、ケーブルコネクタ３００を介して外部機器１０と接続される。具体的に、収容部２３０は順次に番号が指定される複数のコンタクトロケーションを含むことができる。ここで、コンタクトロケーションはケーブルコネクタ３００のコネクタ３１０と電気的に接続されるピン又は端子である。収容部２３０の具体的な形状については図３を参考に後述する。
【０１０７】
スイッチング部２４０は、制御部２２０の制御に従って外部機器１０に適用されるインターフェースタイプに対応するインターフェース方式が選択されるようにスイッチングする。図２を説明するうえで、それぞれの収容部の個数に対応するようにスイッチング部が複数個備えられることを説明したが、いくつかの収容部は特定のインターフェース専用に実現されてよく、この場合、スイッチング部は複数のインターフェースをサポートする収容部のみに備えられる形態でも実現できる。
【０１０８】
図３は、図２の収容部の具体的な形態を示す図である。図３によると、収容部２３０は複数のコンタクトロケーション２３１と、支持部２３３と、金属支持部２３５とを含む。このような収容部２３０はＨＤＭＩコネクタと互換性のある形状であってよい。
【０１０９】
複数のコンタクトロケーション２３１は、図６、図１０、図１３、図１６及び図２０に示されたようなインターフェース方式のようなピン配列であってよく、図７に示されたようなＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタと互換性があってよい。
【０１１０】
図４は、本実施形態に係るケーブルコネクタの一例である。図４によると、ケーブルコネクタ３００は両メディアプレーヤーデバイス１００の間で電気的信号を伝達するのに使われることができる。具体的に、ケーブルコネクタ３００はケーブル３２０及びケーブル両端に位置するコネクタ３１０を含む。
【０１１１】
ケーブル３２０は被覆内に一以上の信号線が形成される。ケーブルコネクタ３００が両メディアプレーヤーデバイス１００と接続される場合、ケーブル３２０内にある一以上の信号線を通じて両メディアプレーヤーデバイス１００の間で電気的信号及び電源が伝達される。ケーブル３２０は図９、図１２、図１４、図１９、図２１に示されたような断面であってよい。
【０１１２】
コネクタ３１０は、ケーブル３２０の両端に形成される。具体的に、コネクタ３１０は順次に番号が指定される複数のコンタクトロケーションを含むことができる。ここで、コンタクトロケーションは、上述の収容部２３０と電気的に接続されるピン又は端子である。コネクタ３１０の具体的な形状については図５を参考にして後述する。
【０１１３】
図４を説明するうえで、ケーブル３２０の両端に同様の形状のコネクタ３１０が備えられた例のみを示して説明したが、実現の際には、ケーブル３２０の両端に別の形状をもつコネクタ３１０が接続されてよい。そして、実現時には、ケーブル３２０の一側には一つのコネクタ３１０が位置し、ケーブル３２０の他側には複数のコネクタが配置される形態で実現されてよい。
【０１１４】
図５は、図４のコネクタの具体的な形態を示す図である。図５によると、コネクタ３１０は、複数のコンタクトロケーション３１１と、前記複数のコンタクトロケーションを固定して収容するハウジング３１３、３１５とを含む。このようなコネクタ３１０はＨＤＭＩコネクタと互換性のある形状であってよい。
【０１１５】
複数のコンタクトロケーション３１１は、図６、図１０、図１３、図１６及び図２０に示されたようなインターフェース方式のようなピン配列であってよく、図７に示されたようなＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタと互換性があってよい。
【０１１６】
図６は、第１実施形態に係るインターフェースの構造を説明するための図である。
【０１１７】
具体的に、第１実施形態に係るインターフェースは、複数のメディアプレーヤーデバイス間の通信を行なえるように、複数のコンタクトロケーショングループ及び各種の制御信号及び電源を伝送するコンタクトロケーションを含む。コンタクトロケーショングループは一対のメディアプレーヤーデバイス間でＡＶ信号、制御信号などをディファレンシャルシグナリング方式で送受信するピン又は端子のセットである。
【０１１８】
図６によると、コンタクトロケーション（又は端子）１、２、３は、第４ペアのデバイス間のデータ伝送のために指定された第４デバイスペアコンタクトロケーショングループである。具体的に、第４デバイスペアコンタクトロケーショングループは、ディファレンシャルシグナリング（ｄｉｆｆｅｒｅｎｔｉａｌ  ｓｉｇｎａｌｉｎｇ）のための第４デバイスペアプラスコンタクトロケーション（ＮＩＦ３＋）及び第４デバイスペアマイナスコンタクトロケーション（ＮＩＦ３−）及びグラウンド処理のための第４デバイスペアグラウンドコンタクトロケーション（ＮＩＦ３  ＧＮＤ）を含む。このような第４デバイスペアコンタクトロケーショングループは、図７に示されるようなＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションであるＴＭＤＳ  ｄａｔａ２＋、ＴＭＤＳ  ｄａｔａ２  ｓｈｉｅｌｄ、ＴＭＤＳ  ｄａｔａ２−に対応できる。ここで、ディファレンシャルシグナリングとは、一つの信号と前記信号の位相とは反対の位相をもつ信号を一対として伝送する技術である。
【０１１９】
そして、コンタクトロケーション４、５、６は、第３ペアのデバイス間のデータ伝送のために指定された第３デバイスペアコンタクトロケーショングループである。具体的に、第３デバイスペアコンタクトロケーショングループは、ディファレンシャルシグナリング（ｄｉｆｆｅｒｅｎｔｉａｌ  ｓｉｇｎａｌｉｎｇ）のための第３デバイスペアプラスコンタクトロケーション（ＮＩＦ２＋）及び第３デバイスペアマイナスコンタクトロケーション（ＮＩＦ２−）及びグラウンド処理のための第３デバイスペアグラウンドコンタクトロケーション（ＮＩＦ２  ＧＮＤ）を含む。このような第３デバイスペアコンタクトロケーショングループは、図７に示されるようなＨＤＭＩのＴＭＤＳ  ｄａｔａ１＋、ＴＭＤＳ  ｄａｔａ１  ｓｈｉｅｌｄ、ＴＭＤＳ  ｄａｔａ１−に対応できる。
【０１２０】
そして、コンタクトロケーション７、８、９は、第２ペアのデバイス間のデータ伝送のために指定された第２デバイスペアコンタクトロケーショングループである。具体的に、第２デバイスペアコンタクトロケーショングループは、ディファレンシャルシグナリング（ｄｉｆｆｅｒｅｎｔｉａｌ  ｓｉｇｎａｌｉｎｇ）のための第２デバイスペアプラスコンタクトロケーション（ＮＩＦ１＋）及び第２デバイスペアマイナスコンタクトロケーション（ＮＩＦ１−）及びグラウンド処理のための第２デバイスペアグラウンドコンタクトロケーション（ＮＩＦ１  ＧＮＤ）を含む。このような第２デバイスペアコンタクトロケーショングループは、図７に示されるようなＨＤＭＩのＴＭＤＳ  ｄａｔａ０＋、ＴＭＤＳ  ｄａｔａ０  ｓｈｉｅｌｄ、ＴＭＤＳ  ｄａｔａ０−に対応できる。
【０１２１】
そして、コンタクトロケーション１０、１１、１２は、第１ペアのデバイス間のデータ伝送のために指定された第１デバイスペアコンタクトロケーショングループである。具体的に、第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション（ＮＩＦ０＋）及び第１デバイスペアマイナスコンタクトロケーション（ＮＩＦ０−）及びグラウンド処理のための第１デバイスペアグラウンドコンタクトロケーション（ＮＩＦ  ＧＮＤ）を含む。このような第１デバイスペアコンタクトロケーショングループは、図７に示されるようなＨＤＭＩのＴＭＤＳ  Ｃｌｏｃｋ＋、ＴＭＤＳ  Ｃｌｏｃｋ  ｓｈｉｅｌｄ、ＴＭＤＳ  Ｃｌｏｃｋ−に対応できる。
【０１２２】
そして、コンタクトロケーション１３は、ＣＥＣ（Ｃｏｎｓｕｍｅｒ  Ｅｌｅｃｔｒｏｎｉｃｓ  Ｃｏｎｔｒｏｌ）コンタクトロケーションである。具体的に、ＣＥＣコンタクトロケーションは、メディアプレーヤーデバイス間の制御命令を伝達するためのコンタクトロケーションとして、本発明ではウェークアップ手続きを行なうのに用いられることができる。
【０１２３】
そして、コンタクトロケーション１４及び１９は、ＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーショングループである。具体的に、ＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーショングループは、ＨＥＡＣプラスコンタクトロケーション（ＨＥＡＣ＋）及びＨＥＡＣマイナスコンタクトロケーション（ＨＥＡＣ−）を含む。このようなＨＥＡＣコンタクトロケーショングループを用いてイーサネット（登録商標）チャネル接続、オーディオリターン、３Ｄイメージ伝送が可能である。
【０１２４】
そして、コンタクトロケーション１５はＳＣＬ（Ｓｅｒｉａｌ  Ｃｌｏｃｋ）コンタクトロケーションであり、コンタクトロケーション１６はＳＤＬ（Ｓｅｒｉａｌ  Ｄａｔａ）コンタクトロケーションである。このようなＳＣＬ（Ｓｅｒｉａｌ  Ｃｌｏｃｋ）コンタクトロケーション、ＳＤＬ（Ｓｅｒｉａｌ  Ｄａｔａ）コンタクトロケーションは、外部メディアプレーヤーデバイスとシリアル通信を行なうのに用いられることができる。
【０１２５】
そして、コンタクトロケーション１７は、グラウンド処理のためのグラウンドコンタクトロケーションである。
【０１２６】
そして、コンタクトロケーション１８は、特定電源を伝送する電源コンタクトロケーションである。具体的に、電源コンタクトロケーションは電源を供給するためのコンタクトロケーションである。
【０１２７】
以上のような第１実施形態に係るインターフェースの構造は、図７に示されたようなＨＤＭＩインターフェースと互換性があり、４台のメディアプレーヤーデバイスと同時に接続できるインターフェースをサポートする。
【０１２８】
一方、図６を説明するうえで、コンタクトロケーション１４及び１９をＨＥＡＣコンタクトロケーショングループとして用いることについて説明したが、グラウンドコンタクトロケーション（ＤＤＣ／ＣＥＣ  ＧＮＤ）をまとめて第５ペアのデバイス間のデータ伝送のための第５デバイスペアコンタクトロケーショングループとして用いてることができる。第１ないし第５デバイスペアコンタクトロケーショングループをコネクタ上に表示すると、図８のようである。そして、第１実施形態に係るインターフェース方式が用いられる場合、ケーブルコネクタ３００のケーブル３２０は図９に示されたような断面であってよい。
【０１２９】
図１０は、第２実施形態に係るインターフェースの構造を説明するための図である。図１０によると、第２実施形態に係るインターフェースは複数のメディアプレーヤーデバイス間の通信を行なえるように、複数のコンタクトロケーショングループ及び各種の制御信号及び電源を伝送するコンタクトロケーションを含む。
【０１３０】
先ず、コンタクトロケーション１、２、３は、第４ペアのデバイス間のデータ伝送のために指定された第４デバイスペアコンタクトロケーショングループである。そして、コンタクトロケーション４、５、６は、第３ペアのデバイス間のデータ伝送のために指定された第３デバイスペアコンタクトロケーショングループである。そして、コンタクトロケーション７、８、９は、第２ペアのデバイス間のデータ伝送のために指定された第２デバイスペアコンタクトロケーショングループである。そして、コンタクトロケーション１０、１１、１２は、第１ペアのデバイス間のデータ伝送のために指定された第１デバイスペアコンタクトロケーショングループである。第１ないし第４デバイスペアコンタクトロケーショングループは、上述の図６において説明した第１ないし第４デバイスペアコンタクトロケーショングループと同様に機能するため、繰り返し説明は省略する。
【０１３１】
そして、コンタクトロケーション１５、１６は、第５ペアのデバイス間のデータ伝送のために指定された第１デバイスペアコンタクトロケーショングループである。具体的に、第５デバイスペアコンタクトロケーショングループは、第５デバイスペアプラスコンタクトロケーション（ＮＩＦ４＋）及び第１デバイスペアマイナスコンタクトロケーション（ＮＩＦ４−）を含む。このような第５デバイスペアコンタクトロケーショングループは、図７に示されたようなＨＤＭＩのＳＣＬ（Ｓｅｒｉａｌ  Ｃｌｏｃｋ）、ＳＤＬ（Ｓｅｒｉａｌ  Ｄａｔａ）に対応できる。
【０１３２】
そして、コンタクトロケーション１３は、ＣＥＣ（Ｃｏｎｓｕｍｅｒ  Ｅｌｅｃｔｒｏｎｉｃｓ  Ｃｏｎｔｒｏｌ）コンタクトロケーションであり、コンタクトロケーション１４及び１９は、ＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーショングループである。そして、コンタクトロケーション１７は、グラウンド処理のためのグラウンドコンタクトロケーションであり、コンタクトロケーション１８は、特定電源を伝送する電源コンタクトロケーションである。コンタクトロケーション１３、１４、１７、１８、１９の機能は図６と同様であるため、繰り返し説明は省略する。
【０１３３】
以上のような第２実施形態に係るインターフェースの構造は、図７に示されたようなＨＤＭＩインターフェースと互換性があり、５台のメディアプレーヤーデバイスと同時に接続できるインターフェースをサポートする。
【０１３４】
一方、図１０を説明するうえで、コンタクトロケーション１４及び１９をＨＥＡＣコンタクトロケーショングループとして用いることについて説明したが、グラウンドコンタクトロケーション（ＤＤＣ／ＣＥＣ  ＧＮＤ）をまとめて第６ペアのデバイス間のデータ伝送のための第６デバイスペアコンタクトロケーショングループとして用いることができる。一方、第１ないし第６デバイスペアコンタクトロケーショングループをコネクタ上に表示すると、図１１のようである。そして、第２実施形態に係るインターフェース方式が用いられる場合、ケーブルコネクタ３００のケーブル３２０は図１２に示されたような断面であってよい。
【０１３５】
図１３は、第３実施形態に係るインターフェースの構造を説明するための図である。図１３によると、第３実施形態に係るインターフェースは複数のメディアプレーヤーデバイス間の通信を行なえるように、複数のコンタクトロケーショングループ及び各種の制御信号及び電源を伝送するコンタクトロケーションを含む。
【０１３６】
先ず、コンタクトロケーション１、２、３は、第４ペアのデバイス間のデータ伝送のために指定された第４デバイスペアコンタクトロケーショングループである。そして、コンタクトロケーション４、５、６は、第３ペアのデバイス間のデータ伝送のために指定された第３デバイスペアコンタクトロケーショングループである。そして、コンタクトロケーション７、８、９は、第２ペアのデバイス間のデータ伝送のために指定された第２デバイスペアコンタクトロケーショングループである。そして、コンタクトロケーション１０、１１、１２は、第１ペアのデバイス間のデータ伝送のために指定された第１デバイスペアコンタクトロケーショングループである。第１ないし第４デバイスペアコンタクトロケーショングループは、上述の図６において説明した第１ないし第４デバイスペアコンタクトロケーショングループと同様に機能するため、繰り返し説明は省略する。
【０１３７】
そして、コンタクトロケーション１５、１６及びドレインワイヤーは、第５ペアのデバイス間のデータ伝送のために指定された第５デバイスペアコンタクトロケーショングループである。具体的に、第５デバイスペアコンタクトロケーショングループは、ディファレンシャルシグナリング（ｄｉｆｆｅｒｅｎｔｉａｌ  ｓｉｇｎａｌｉｎｇ）のための第５デバイスペアプラスコンタクトロケーション（ＮＩＦ４＋）及び第５デバイスペアマイナスコンタクトロケーション（ＮＩＦ４−）及びグラウンド処理のためのドレインワイヤー（ＧＮＤ１）を含む。ドレインワイヤーは、図１４に示されたように、ケーブル内に含まれたワイヤーである。そして、ドレインワイヤーは、図１５に示されたように、コネクタ３１０の金属接地部３１７に接続され、金属接地部３１７は上述のペアコンタクトロケーショングループ内のグラウンドコンタクトロケーション（２、５、８、１１、１７コンタクトロケーション）のうちいずれか一つとコネクタ３１０上で接続されてよい。本実施形態では、ドレインワイヤーを用いて第５デバイスペアコンタクトロケーショングループに対するグラウンド処理をすることを説明したが、第１ないし第４デバイスペアコンタクトロケーショングループ内のグラウンドコンタクトロケーション（２、５、８、１１、１７コンタクトロケーション）のうちいずれか一つを直接用いる形態でも実現できる。
【０１３８】
そして、コンタクトロケーション１３は、ＣＥＣ（Ｃｏｎｓｕｍｅｒ  Ｅｌｅｃｔｒｏｎｉｃｓ  Ｃｏｎｔｒｏｌ）コンタクトロケーションであり、コンタクトロケーション１４及び１９は、ＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーショングループである。そして、コンタクトロケーション１７は、グラウンド処理のためのグラウンドコンタクトロケーションであり、コンタクトロケーション１８は、特定電源を伝送する電源コンタクトロケーションである。コンタクトロケーション１３、１４、１７、１８、１９の機能は図６と同様であるため、繰り返し説明は省略する。
【０１３９】
以上のような第３実施形態に係るインターフェースの構造は、図７に示されたようなＨＤＭＩインターフェースと互換性があり、５台のメディアプレーヤーデバイスと同時に接続できるインターフェースをサポートする。一方、第２実施形態と比較した際、第２実施形態に係る第５デバイスペアコンタクトロケーショングループは、グラウンド処理のためのコンタクトロケーションが備えられていないことから、バンド幅の性能面では、他のコンタクトロケーショングループに比べて劣るかもしれないが、第３実施形態に係る第５デバイスペアコンタクトロケーショングループはドレインワイヤー又は他のコンタクトロケーショングループのグラウンドコンタクトロケーションを通じてグラウンド処理されるため、バンド幅の性能を向上することができる。
【０１４０】
一方、図１０を説明するうえで、コンタクトロケーション１４及び１９をＨＥＡＣコンタクトロケーショングループとして用いることについて説明したが、グラウンドコンタクトロケーション（ＤＤＣ／ＣＥＣ  ＧＮＤ）をまとめて第６ペアのデバイス間のデータ伝送のための第６デバイスペアコンタクトロケーショングループとして用いてることができる。そして、第３実施形態に係るインターフェース方式が用いられる場合、ケーブルコネクタ３００のケーブル３２０は図１５に示されたような断面であってよい。
【０１４１】
図１６は、第４実施形態に係るインターフェースの構造を説明するための図である。図１６によると、第４実施形態に係るインターフェースは複数のメディアプレーヤーデバイス間の通信を行なえるように、複数のコンタクトロケーショングループ及び各種の制御信号及び電源を伝送するコンタクトロケーションを含む。
【０１４２】
図１６を参考にすると、コンタクトロケーション１、３は、第４ペアのデバイス間のデータ伝送のために指定された第４デバイスペアコンタクトロケーショングループである。具体的に、第４デバイスペアコンタクトロケーショングループは、ディファレンシャルシグナリング（ｄｉｆｆｅｒｅｎｔｉａｌ  ｓｉｇｎａｌｉｎｇ）のための第４デバイスペアプラスコンタクトロケーション（ＮＩＦ３＋）及び第４デバイスペアマイナスコンタクトロケーション（ＮＩＦ３−）及びグラウンド処理のためのドレインワイヤー（ＧＮＤ１）を含む。ドレインワイヤーは、図１９に示されたように、ケーブル３２０内の第４デバイスペアプラスコンタクトロケーション（ＮＩＦ３＋）及び第４デバイスペアマイナスコンタクトロケーション（ＮＩＦ３−）の信号を伝達する内部ケーブル内の別途のワイヤーである。そして、ドレインワイヤー（ＧＮＤ１）は、図１８に示されたように、コネクタ３１０の金属接地部３１７に接続され、金属接地部３１７は上述のペアコンタクトロケーショングループ内のグラウンドコンタクトロケーション（２、５、８、１１、１７コンタクトロケーション）のうちいずれか一つとコネクタ３１０上で接続されてよい。このような第４デバイスペアコンタクトロケーショングループは、図７に示されたようなＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションであるＴＭＤＳ  ｄａｔａ２＋、ＴＭＤＳ  ｄａｔａ２−に対応できる。
【０１４３】
そして、コンタクトロケーション２、５は、第５ペアのデバイス間のデータ伝送のために指定された第５デバイスペアコンタクトロケーショングループである。具体的に、第５デバイスペアコンタクトロケーショングループは、ディファレンシャルシグナリング（ｄｉｆｆｅｒｅｎｔｉａｌ  ｓｉｇｎａｌｉｎｇ）のための第５デバイスペアプラスコンタクトロケーション（ＮＩＦ４＋）及び第５デバイスペアマイナスコンタクトロケーション（ＮＩＦ４−）及びグラウンド処理のためのドレインワイヤー（ＧＮＤ５）を含む。ここで、ドレインワイヤー（ＧＮＤ５）は、図１９に示されたように、ケーブル３２０内の第５デバイスペアプラスコンタクトロケーション（ＮＩＦ４＋）及び第５デバイスペアマイナスコンタクトロケーション（ＮＩＦ４−）の信号を伝達する内部ケーブル内の別途のワイヤーである。このような第５デバイスペアコンタクトロケーショングループは、図７に示されたようなＨＤＭＩのＴＭＤＳ  ｄａｔａ２  ｓｈｉｅｌｄ、ＴＭＤＳ  ｄａｔａ１  ｓｈｉｅｌｄに対応できる。
【０１４４】
そして、コンタクトロケーション４、６は、第３ペアのデバイス間のデータ伝送のために指定された第３デバイスペアコンタクトロケーショングループである。具体的に、第３デバイスペアコンタクトロケーショングループは、ディファレンシャルシグナリング（ｄｉｆｆｅｒｅｎｔｉａｌ  ｓｉｇｎａｌｉｎｇ）のための第３デバイスペアプラスコンタクトロケーション（ＮＩＦ２＋）及び第３デバイスペアマイナスコンタクトロケーション（ＮＩＦ２−）及びグラウンド処理のためのドレインワイヤー（ＧＮＤ２）を含む。ここで、ドレインワイヤー（ＧＮＤ２）は、図１９に示されたように、ケーブル３２０内の第３デバイスペアプラスコンタクトロケーション（ＮＩＦ２＋）及び第３デバイスペアマイナスコンタクトロケーション（ＮＩＦ２−）の信号を伝達する内部ケーブル内の別途のワイヤーである。このような第３デバイスペアコンタクトロケーショングループは、図７に示されたようなＨＤＭＩのＴＭＤＳ  ｄａｔａ１＋、ＴＭＤＳ  ｄａｔａ１−に対応できる。
【０１４５】
そして、コンタクトロケーション７、９は、第２ペアのデバイス間のデータ伝送のために指定された第２デバイスペアコンタクトロケーショングループである。具体的に、第２デバイスペアコンタクトロケーショングループは、ディファレンシャルシグナリング（ｄｉｆｆｅｒｅｎｔｉａｌ  ｓｉｇｎａｌｉｎｇ）のための第２デバイスペアプラスコンタクトロケーション（ＮＩＦ１＋）及び第２デバイスペアマイナスコンタクトロケーション（ＮＩＦ１−）及びグラウンド処理のためのドレインワイヤー（ＧＮＤ３）を含む。ここで、ドレインワイヤー（ＧＮＤ３）は、図１９に示されたように、ケーブル３２０内の第２デバイスペアプラスコンタクトロケーション（ＮＩＦ１＋）及び第２デバイスペアマイナスコンタクトロケーション（ＮＩＦ１−）の信号を伝達する内部ケーブル内の別途のワイヤーである。このような第２デバイスペアコンタクトロケーショングループは、図７に示されたようなＨＤＭＩのＴＭＤＳ  ｄａｔａ０＋、ＴＭＤＳ  ｄａｔａ０−に対応できる。
【０１４６】
そして、コンタクトロケーション８、１１は、第６ペアのデバイス間のデータ伝送のために指定された第６デバイスペアコンタクトロケーショングループである。具体的に、第６デバイスペアコンタクトロケーショングループは、ディファレンシャルシグナリング（ｄｉｆｆｅｒｅｎｔｉａｌ  ｓｉｇｎａｌｉｎｇ）のための第６デバイスペアプラスコンタクトロケーション（ＮＩＦ５＋）及び第６デバイスペアマイナスコンタクトロケーション（ＮＩＦ５−）及びグラウンド処理のためのドレインワイヤー（ＧＮＤ６）を含む。ここで、ドレインワイヤー（ＧＮＤ６）は、図１９に示されたように、ケーブル３２０内の第６デバイスペアプラスコンタクトロケーション（ＮＩＦ５＋）及び第６デバイスペアマイナスコンタクトロケーション（ＮＩＦ５−）の信号を伝達する内部ケーブル内の別途のワイヤーである。このような第６デバイスペアコンタクトロケーショングループは、図７に示されたようなＨＤＭＩのＴＭＤＳ  ｄａｔａ０  ｓｈｉｅｌｄ、ＴＭＤＳ  Ｃｌｏｃｋ  ｓｈｉｅｌｄに対応できる。
【０１４７】
そして、コンタクトロケーション１０、１２は、第１ペアのデバイス間のデータ伝送のために指定された第１デバイスペアコンタクトロケーショングループである。具体的に、第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション（ＮＩＦ０＋）及び第１デバイスペアマイナスコンタクトロケーション（ＮＩＦ０−）及びグラウンド処理のためのドレインワイヤー（ＧＮＤ４）を含む。ここで、ドレインワイヤー（ＧＮＤ４）は、図１９に示されたように、ケーブル３２０内の第１デバイスペアプラスコンタクトロケーション（ＮＩＦ０＋）及び第１デバイスペアマイナスコンタクトロケーション（ＮＩＦ０−）の信号を伝達する内部ケーブル内の別途のワイヤーである。このような第１デバイスペアコンタクトロケーショングループは、図７に示されたようなＨＤＭＩのＴＭＤＳ  Ｃｌｏｃｋ＋、ＴＭＤＳ  Ｃｌｏｃｋ−に対応できる。
【０１４８】
そして、コンタクトロケーション１５、１６は、第７ペアのデバイス間のデータ伝送のために指定された第７デバイスペアコンタクトロケーショングループである。具体的に、第７デバイスペアコンタクトロケーショングループは、ディファレンシャルシグナリング（ｄｉｆｆｅｒｅｎｔｉａｌ  ｓｉｇｎａｌｉｎｇ）のための第７デバイスペアプラスコンタクトロケーション（ＮＩＦ６＋）及び第７デバイスペアマイナスコンタクトロケーション（ＮＩＦ６−）及びグラウンド処理のためのドレインワイヤー（ＧＮＤ７）を含む。ドレインワイヤー（ＧＮＤ７）は、図１９に示されたように、ケーブル３２０内の第７デバイスペアプラスコンタクトロケーション（ＮＩＦ６＋）及び第７デバイスペアマイナスコンタクトロケーション（ＮＩＦ６−）の信号を伝達する内部ケーブル内の別途のワイヤーである。このような第７デバイスペアコンタクトロケーショングループは、図７に示されたようなＨＤＭＩのＳＣＬ、ＳＤＡに対応できる。
【０１４９】
そして、コンタクトロケーション１３は、ＣＥＣ（Ｃｏｎｓｕｍｅｒ  Ｅｌｅｃｔｒｏｎｉｃｓ  Ｃｏｎｔｒｏｌ）コンタクトロケーションである。具体的に、ＣＥＣコンタクトロケーションはメディアプレーヤーデバイス間の制御命令を伝達するためのコンタクトロケーションとして、本発明ではウェークアップ手続きを行なうのに用いられることができる。
【０１５０】
そして、コンタクトロケーション１４及び１９は、ＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーショングループである。具体的に、ＨＥＡＣ（Ｅｔｈｅｒｎｅｔ（登録商標）  ａｎｄ  Ａｕｄｉｏ  Ｒｅｔｕｒｎ  Ｃｈａｎｎｅｌ）コンタクトロケーショングループは、ＨＥＡＣプラスコンタクトロケーション（ＨＥＡＣ＋）及びＨＥＡＣマイナスコンタクトロケーション（ＨＥＡＣ−）を含む。
【０１５１】
そして、コンタクトロケーション１７は、グラウンド処理のためのグラウンドコンタクトロケーションである。
【０１５２】
そして、コンタクトロケーション１８は、特定電源を伝送する電源コンタクトロケーションである。具体的に、電源コンタクトロケーションは５Ｖ直流電源を供給するためのコンタクトロケーションである。
【０１５３】
以上のような第４実施形態に係るインターフェースの構造は、図７に示されたようなＨＤＭＩインターフェースと互換性があり、メディアプレーヤーデバイス７台と接続が可能である。
【０１５４】
一方、図１６を説明するうえで、コンタクトロケーション１４及び１９をＨＥＡＣコンタクトロケーショングループとして用いることについて説明したが、グラウンドコンタクトロケーション（ＤＤＣ／ＣＥＣ  ＧＮＤ）をまとめて第８ペアのデバイス間のデータ伝送のための第８デバイスペアコンタクトロケーショングループとして用いてることができる。第１ないし第８デバイスペアロケーショングループをコネクタ上に表示すると、図１７のようである。そして、第４実施形態に係るインターフェース方式が用いられる場合、ケーブルコネクタ３００のケーブルは図１９に示されたような断面であってよい。
【０１５５】
図２０は、第５実施形態に係るインターフェースの構造を説明するための図である。図２０によると、第５実施形態に係るインターフェースは複数のメディアプレーヤーデバイス間の通信を行なえるように、複数のコンタクトロケーショングループ及び各種の制御信号及び電源を伝送するコンタクトロケーションを含む。
【０１５６】
先ず、コンタクトロケーション１、３は、第１ペアのデバイス間のデータ伝送のために指定された第１デバイスペアコンタクトロケーショングループである。具体的に、第１デバイスペアコンタクトロケーショングループは、ディファレンシャルシグナリング（ｄｉｆｆｅｒｅｎｔｉａｌ  ｓｉｇｎａｌｉｎｇ）のための第１デバイスペアプラスコンタクトロケーション（ＮＩＦ０＋）及び第１デバイスペアマイナスコンタクトロケーション（ＮＩＦ０−）を含む。このような第１デバイスペアコンタクトロケーショングループは、図７に示されたようなＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションであるＴＭＤＳ  ｄａｔａ２＋、ＴＭＤＳ  ｄａｔａ２−に対応できる。
【０１５７】
そして、コンタクトロケーション２、４は、第２ペアのデバイス間のデータ伝送のために指定された第２デバイスペアコンタクトロケーショングループである。具体的に、第２デバイスペアコンタクトロケーショングループは、ディファレンシャルシグナリング（ｄｉｆｆｅｒｅｎｔｉａｌ  ｓｉｇｎａｌｉｎｇ）のための第２デバイスペアプラスコンタクトロケーション（ＮＩＦ１＋）及び第２デバイスペアマイナスコンタクトロケーション（ＮＩＦ１−）を含む。このような第２デバイスペアコンタクトロケーショングループは、図７に示されたようなＨＤＭＩのＴＭＤＳ  ｄａｔａ２  Ｓｈｉｅｌｄ、ＴＭＤＳ  ｄａｔａ１＋に対応できる。
【０１５８】
そして、コンタクトロケーション５、７は、第３ペアのデバイス間のデータ伝送のために指定された第３デバイスペアコンタクトロケーショングループである。具体的に、第３デバイスペアコンタクトロケーショングループは、ディファレンシャルシグナリング（ｄｉｆｆｅｒｅｎｔｉａｌ  ｓｉｇｎａｌｉｎｇ）のための第３デバイスペアプラスコンタクトロケーション（ＮＩＦ２＋）及び第３デバイスペアマイナスコンタクトロケーション（ＮＩＦ２−）を含む。このような第３デバイスペアコンタクトロケーショングループは、図７に示されたようなＨＤＭＩのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）コンタクトロケーションであるＴＭＤＳ  ｄａｔａ１  Ｓｈｉｅｌｄ、ＴＭＤＳ  ｄａｔａ０＋に対応できる。
【０１５９】
そして、コンタクトロケーション６、８は、第４ペアのデバイス間のデータ伝送のために指定された第４デバイスペアコンタクトロケーショングループである。具体的に、第４デバイスペアコンタクトロケーショングループは、ディファレンシャルシグナリング（ｄｉｆｆｅｒｅｎｔｉａｌ  ｓｉｇｎａｌｉｎｇ）のための第４デバイスペアプラスコンタクトロケーション（ＮＩＦ３＋）及び第４デバイスペアマイナスコンタクトロケーション（ＮＩＦ３−）を含む。このような第４デバイスペアコンタクトロケーショングループは、図７に示されたようなＨＤＭＩのＴＭＤＳ  ｄａｔａ１−、ＴＭＤＳ  ｄａｔａ０  Ｓｈｉｅｌｄに対応できる。
【０１６０】
そして、コンタクトロケーション９、１１は、第５ペアのデバイス間のデータ伝送のために指定された第５デバイスペアコンタクトロケーショングループである。具体的に、第５デバイスペアコンタクトロケーショングループは、ディファレンシャルシグナリング（ｄｉｆｆｅｒｅｎｔｉａｌ  ｓｉｇｎａｌｉｎｇ）のための第５デバイスペアプラスコンタクトロケーション（ＮＩＦ４＋）及び第５デバイスペアマイナスコンタクトロケーション（ＮＩＦ４−）を含む。このような第５デバイスペアコンタクトロケーショングループは、図７に示されたようなＨＤＭＩのＴＭＤＳ  ｄａｔａ０−、ＴＭＤＳ  Ｃｌｏｃｋ  Ｓｈｉｅｌｄに対応できる。
【０１６１】
そして、コンタクトロケーション１０、１２は、第６ペアのデバイス間のデータ伝送のために指定された第６デバイスペアコンタクトロケーショングループである。具体的に、第６デバイスペアコンタクトロケーショングループは、ディファレンシャルシグナリング（ｄｉｆｆｅｒｅｎｔｉａｌ  ｓｉｇｎａｌｉｎｇ）のための第６デバイスペアプラスコンタクトロケーション（ＮＩＦ５＋）及び第６デバイスペアマイナスコンタクトロケーション（ＮＩＦ５−）を含む。このような第６デバイスペアコンタクトロケーショングループは、図７に示されたようなＨＤＭＩのＴＭＤＳ  Ｃｌｏｃｋ＋、ＴＭＤＳ  Ｃｌｏｃｋ−に対応できる。
【０１６２】
そして、コンタクトロケーション１３、１５は、第７ペアのデバイス間のデータ伝送のために指定された第７デバイスペアコンタクトロケーショングループである。具体的に、第７デバイスペアコンタクトロケーショングループは、ディファレンシャルシグナリング（ｄｉｆｆｅｒｅｎｔｉａｌ  ｓｉｇｎａｌｉｎｇ）のための第７デバイスペアプラスコンタクトロケーション（ＮＩＦ６＋）及び第７デバイスペアマイナスコンタクトロケーション（ＮＩＦ６−）を含む。このような第７デバイスペアコンタクトロケーショングループは、図７に示されたようなＨＤＭＩのＣＥＣ、ＳＣＬに対応できる。
【０１６３】
そして、コンタクトロケーション１４、１６は、第８ペアのデバイス間のデータ伝送のために指定された第８デバイスペアコンタクトロケーショングループである。具体的に、第８デバイスペアコンタクトロケーショングループは、ディファレンシャルシグナリング（ｄｉｆｆｅｒｅｎｔｉａｌ  ｓｉｇｎａｌｉｎｇ）のための第８デバイスペアプラスコンタクトロケーション（ＮＩＦ７＋）及び第８デバイスペアマイナスコンタクトロケーション（ＮＩＦ７−）を含む。このような第８デバイスペアコンタクトロケーショングループは、図７に示されたようなＨＤＭＩのＨＥＡＣ＋、ＳＤＡに対応できる。
【０１６４】
そして、コンタクトロケーション１７は、グラウンド処理のためのグラウンドコンタクトロケーションである。
【０１６５】
そして、コンタクトロケーション１８は、特定電源を伝送する電源コンタクトロケーションである。具体的に、電源コンタクトロケーションは電源を供給するためのコンタクトロケーションである。
【０１６６】
そして、コンタクトロケーション１９は、ホットプラグ検知のためのコンタクトロケーションである。
【０１６７】
以上のように、第５実施形態に係るインターフェース装置は、図７に示されたようなＨＤＭＩインターフェースと互換性があり、メディアプレーヤーデバイス８台と接続が可能である。そして、第５実施形態に係るインターフェース方式が用いられる場合、ケーブルコネクタ３００のケーブルは図２１に示されたような断面であってよい。
【０１６８】
図２２は、上述の実施形態に係るインターフェースを介してインターフェース装置２００と接続された外部機器を充電及びウェークアップする方法を説明するための図である。
【０１６９】
図２２によると、インターフェース装置２００は、外部機器１００’とケーブルコネクタを介して接続されてよく、コネクタ内の複数のコンタクトロケーションのうちいずれか一つのコンタクトロケーションを用いて外部機器１００’の接続を認識することができる。具体的に、インターフェース装置２００は接続された複数のコンタクトロケーションのうち、ＣＥＣコンタクトロケーションを用いて外部機器１００’が充電可能な機器であるかを把握することができ、当該機器が充電可能な機器である場合、これをマイコン１２０に充電可能な機器が接続されたことを通知することができる。本実施形態では、インターフェース装置２００が外部機器への接続を認識するものとして説明したが、このような認識動作はマイコン１２０で行なってもよい。
【０１７０】
この時、メディアプレーヤーデバイス１００がスタンバイモードの場合、インターフェース装置２００はマイコン１２０にウェークアップ信号を伝達することができる。ウェークアップ信号又は充電可能な機器が接続されたことを報知する信号を受信したマイコン１２０は、電源部１１０を制御してウェークアップ信号内のウェークアップモードによる電源が出力されるように制御することができる。ウェークアップモードによる電源を電源部１１０が出力すると、インターフェース装置２００は外部機器１００’に当該電源を供給して外部機器１００’を充電することができる。
【０１７１】
一方、図２２を説明するうえで、電源コンタクトロケーションを用いて外部機器１００’を充電することについてのみ説明したが、図２６に示されたように、複数のコンタクトロケーションを用いて外部機器１００’に電源を供給することができる。即ち、複数のラインを用いて外部機器１００’により十分な電流を供給する形態で実現することもできる。この時、使われるラインは上述の電源コンタクトロケーションとともに、Ａ／Ｖ信号にするためのコンタクトロケーショングループが用いられることができる。実現時には２つのコンタクトロケーショングループを用いて外部機器１００’に電源を供給する形態又は３つ以上のコンタクトロケーショングループを用いる形態でも実現できる。
【０１７２】
以下では、図２２を参考にし、外部機器１００’をウェークアップする動作について説明する。
【０１７３】
先ず、外部機器１００’のウェークアップが必要な場合、マイコン１２０はインターフェース装置２００に当該外部機器１００’に図２４に示されたようなウェークアップ開始命令を伝達することができる。ここで、ウェークアップ開始命令は、ウェークアップ命令の開始を報知するスタート（Ｓｔａｒｔ）フィールドと、ウェークアップが必要なデバイスを報知するウェークアップポート（Ｗａｋｅｕｐ  Ｐｏｒｔ）フィールドと、ウェークアップのモードを報知するウェークアップモード（Ｗａｋｅｕｐ  Ｍｏｄｅ）フィールドと、確認信号（Ａｃｋ）フィールドとを含むことが望ましい。
【０１７４】
ウェークアップ開始命令を入力されたインターフェース装置２００は受信されたウェークアップ開始命令のうちのウェークアップポートフィールドを参考して、ウェークアップする外部機器を判断し、当該外部機器と接続された収容部に、即ち当該外部機器に図２３に示されたようなウェークアップ信号を伝達することができる。ここで、ウェークアップ信号は、ウェークアップ開始命令のうちのウェークアップポートフィールドが省略されたウェークアップ命令の開始を報知するスタート（Ｓｔａｒｔ）フィールドと、ウェークアップのモードを報知するウェークアップモード（Ｗａｋｅｕｐ  Ｍｏｄｅ）フィールドと、確認信号（Ａｃｋ）フィールドとを含む
この時、インターフェース装置２００は、複数のコンタクトロケーションのうち、ＣＥＣコンタクトロケーションを用いて外部機器１００’にウェークアップ信号を送受信することができる。
【０１７５】
以上では、メディアプレーヤーデバイス１００で特定外部機器に対するウェークアップ開始命令を生成して伝達することについて説明したが、ウェークアップ開始命令は外部機器１００’から受信されてよい。
【０１７６】
具体的に、外部機器１０−１からが外部機器１０−２に対するウェークアップ開始命令を受信すると、インターフェース装置２００は入力されたウェークアップ開始命令のうちのウェークアップポートフィールドを参考にし、ウェークアップする外部機器を判断し、判断された外部機器にウェークアップ信号を伝送することができる。
【０１７７】
図２３は、本実施形態に係るウェークアップ信号の構造を示す図である。図２３によると、ウェークアップ信号はスタート（Ｓｔａｒｔ)フィールドと、ウェークアップモード（Ｗａｋｅｕｐ  Ｍｏｄｅ）フィールドと、確認（Ａｃｋ）フィールドとを含んでよい。
【０１７８】
スタートフィールドは、ウェークアップ命令の開始を報知するフィールドとして、ハイレベルからローレベルにダウンした後、予め設定された時間だけ持続する信号であってよい。実現時には、ローレベルからハイレベルにアップした後、予め設定された時間だけ持続する信号であってよい。
【０１７９】
ウェークアップモードフィールドは、ウェークアップのモードを報知するフィールドとして、図２６に示されたようなモードであってよい。
【０１８０】
確認信号フィールドは、ウェークアップ信号を入力される外部機器１００’がウェークアップ信号を伝達したインターフェース装置２００にウェークアップ信号を受信したことを報知する信号である。
【０１８１】
図２４は、本実施形態に係るウェークアップ開始命令の構造を示す図である。図２４によると、ウェークアップ開始命令はスタート（Ｓｔａｒｔ)フィールドと、ウェークアップポート（Ｗａｋｅｕｐ  Ｐｏｒｔ）と、ウェークアップモード（Ｗａｋｅｕｐ  Ｍｏｄｅ）フィールドと、確認（Ａｃｋ）フィールドとを含んでよい。
【０１８２】
スタートフィールドは、ウェークアップ命令の開始を報知するフィールドとして、ハイレベルからローレベルにダウンした後、予め設定された時間だけ持続する信号であってよい。実現時には、ローレベルからハイレベルにアップした後、予め設定された時間だけ持続する信号であってよい。
【０１８３】
ウェークアップポートは、ウェークアップが必要なメディアプレーヤーデバイスを報知するフィールドである。
【０１８４】
ウェークアップモードフィールドは、ウェークアップのモードを報知するフィールドとして、図２６に示されたようなモードであってよい。
【０１８５】
確認信号フィールドは、ウェークアップ信号を入力される外部機器１００’がウェークアップ信号を伝達したインターフェース装置２００にウェークアップ信号を受信したことを報知する信号である。
【０１８６】
図２５は、ウェークアップ開始命令に含まれたそれぞれの信号の役割を説明する図である。図２５によると、スタート（Ｓｔａｒｔ）フィールドはハイレベルからローレベルにダウンする信号が伝達されるフィールドであり、ウェークアップポート（Ｗａｋｅｕｐ  ｐｏｒｔ）フィールドは複数の外部機器のうち、特定の外部機器に該当するポートを指定する信号が伝達されるフィールドであり、ウェークアップモード（Ｗａｋｅｕｐ  Ｍｏｄｅ）フィールドは外部機器の動作モードを指定する信号を伝達するフィールドであり、ウェークアップ信号受信確認信号（Ａｃｋ）はウェークアップ信号の受信に成功したことを報知する信号が伝達されるフィールドであることが分かる。
【０１８７】
図２６は、図２５に記されたウェークアップモード（Ｗａｋｅｕｐ  Ｍｏｄｅ）の種類を示す図である。図２６によると、メディアプレーヤーデバイスの複数の動作モードのそれぞれに対応する複数のウェークアップモード（Ｗａｋｅｕｐ  １  ｓｔｅｐ、Ｗａｋｅｕｐ  ２  ｓｔｅｐ、Ｗａｋｅｕｐ  ３  ｓｔｅｐ）及び充電モード（Ｃｈａｒｇｉｎｇ  ｏｎｌｙ）を含んでいる。このように、それぞれの信号に応じて外部機器の多様な動作モードを指定して外部機器１００’をウェークアップすることができる。
【０１８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【符号の説明】
【０１８９】
１０−１、１０−２、１０−ｎ  外部機器
１００  メディアプレーヤーデバイス
１１０  電源部
１２０  マイコン
１３０  ユーザインターフェース部
２００  インターフェース装置
２１０  通信インターフェース部
２２０  制御部
２３０−１  第１収容部
２３０−２  第２収容部
２３０−ｎ  第ｎ収容部
２３１  コンタクトロケーション
２３５  金属支持部
２４０−１  第１スイッチング部
２４０−２  第２スイッチング部
２４０−ｎ  第３スイッチング部
３００  ケーブルコネクタ
３１０  コネクタ
３１３、３１５  ハウジング
【図１】
2012104119.tif 000003
【図２】
2012104119.tif 000004
【図３】
2012104119.tif 000005
【図４】
2012104119.tif 000006
【図５】
2012104119.tif 000007
【図６】
2012104119.tif 000008
【図７】
2012104119.tif 000009
【図８】
2012104119.tif 000010
【図９】
2012104119.tif 000011
【図１０】
2012104119.tif 000012
【図１１】
2012104119.tif 000013
【図１２】
2012104119.tif 000014
【図１３】
2012104119.tif 000015
【図１４】
2012104119.tif 000016
【図１５】
2012104119.tif 000017
【図１６】
2012104119.tif 000018
【図１７】
2012104119.tif 000019
【図１８】
2012104119.tif 000020
【図１９】
2012104119.tif 000021
【図２０】
2012104119.tif 000022
【図２１】
2012104119.tif 000023
【図２２】
2012104119.tif 000024
【図２３】
2012104119.tif 000025
【図２４】
2012104119.tif 000026
【図２５】
2012104119.tif 000027
【図２６】
2012104119.tif 000028
【図２７】
2012104119.tif 000029